(57)【要約】【課題】容易に現場設備と台帳との整合性を図ることが可能であるとともに、現場設備の特定を迅速に行う。【解決手段】屋外あるいは屋内の現場設備の管理を行う現場設備管理システム１０は、現場設備に配設され、当該現場設備を特定するための設備特定情報を格納したＩＣタグ３１、ＩＣタグ３１からＩＣタグリーら２２を介して設備特定情報の読み出しが可能な携帯端末装置１３と、携帯端末装置１３と通信ネットワーク１４を介して接続され、携帯端末装置１３からの問い合わせに応じて、設備特定情報により特定される現場設備に対応する詳細情報を携帯端末装置に通知する現場設備管理サーバ１１と、を備える。【選択図】図１
2007200015.tif 000002
【特許請求の範囲】
【請求項１】
屋外あるいは屋内の現場設備の管理を行う現場設備管理システムにおいて、
前記現場設備に配設され、当該現場設備を特定するための設備特定情報を格納した設備特定情報格納装置と、
前記設備特定情報格納装置から前記設備特定情報の読み出しが可能な携帯端末装置と、
前記携帯端末装置と通信ネットワークを介して接続され、当該携帯端末装置からの問い合わせに応じて、前記設備特定情報により特定される前記現場設備に対応する詳細情報を前記携帯端末装置に通知する現場設備管理サーバと、
を備えたことを特徴とする現場設備管理システム。
【請求項２】
請求項１記載の現場設備管理システムにおいて、
前記現場設備情報管理サーバは、前記詳細情報として、前記設備特定情報に関連づけて前記現場設備の設置位置の緯度経度情報を格納していることを特徴とする現場設備管理システム。
【請求項３】
請求項２記載の現場設備管理システムにおいて、
前記携帯端末装置は、ＧＰＳ衛星からの電波を受信して、自己の現在位置を特定する現在位置特定部を備えており、
前記現場設備管理サーバに前記問い合わせを行うに際し、前記自己の現在位置を通知する、
ことを特徴とする現場設備管理システム。
【請求項４】
請求項１ないし請求項３のいずれかに記載の現場設備管理システムにおいて、
前記特定情報格納装置は、IＣタグであり、
前記携帯端末装置は、前記ＩＣタグから前記特定情報を読み出すためのＩＣタグリーダを備えていることを特徴とする現場設備管理システム。
【請求項５】
請求項１ないし請求項４のいずれかに記載の現場設備管理システムにおいて、
前記現場設備の配置、各前記現場設備の構成を含む設備情報が格納される現場設備データベースを備え、
前記現場設備管理サーバは、前記携帯端末装置から入力される設備更新情報に基づいて、いずれかのデータベースを最新の状態に維持するデータベース更新部を備えたことを特徴とする現場設備管理システム。
【請求項６】
現場設備に配設され、当該現場設備を特定するための設備特定情報を格納した設備特定情報格納装置から前記設備特定情報の読み出しが可能な携帯型端末装置と、前記携帯型端末装置とコンピュータネットワークを介して接続された現場設備管理サーバと、を用いて現場設備を管理する現場設備管理方法において、
前記設備特定情報を用いて前記現場設備の詳細情報の問い合わせを行う問い合わせ過程と、
前記問い合わせに応じて、前記設備特定情報により特定される前記現場設備に対応する詳細情報を通知する詳細情報通知過程と、
を備えたことを特徴とする現場設備管理方法。
【発明の詳細な説明】
【技術分野】
【０００１】
本発明は、現場設備管理システムおよび現場設備管理方法に係り、特に現場設備の設置状況把握および各現場設備の管理を容易とする技術に関する。
【背景技術】
【０００２】
従来より、大規模な設備管理システムとして、管理対象の設備を維持管理し、あるいは、維持管理を容易にするための設備管理システムが各種提案されている。
例えば、特許文献１には、複数の光ファイバケーブル間を相互に接続して光ファイバ網を形成するに際し、光ファイバ心線の接続、分岐作業を支援する管理システムが提案されている。
【特許文献１】特開２００３−２８４２１３号公報
【発明の開示】
【発明が解決しようとする課題】
【０００３】
ところで、従来の設備管理システムにおいては、機器、装置、道路付属物などの管理を台帳等を用いて行っていたが、設備の更新、移設などに起因して、台帳と現地設備とで、整合性がとれなくなってしまう可能性があった。
また、台帳に記録されている情報が正確であったとしても、現地設備が本当に台帳に記載のものであるかを確認するのは容易ではなく、確認に要する時間がかかってしまうという可能性があった。
【０００４】
そこで本発明の目的は、容易に現場設備と台帳との整合性を図ることが可能であるとともに、現場設備の特定を迅速に行うことが可能な現場設備管理システム及び管理方法を提供することにある。
【課題を解決するための手段】
【０００５】
上記課題を解決するため、屋外あるいは屋内の現場設備の管理を行う現場設備管理システムは、前記現場設備に配設され、当該現場設備を特定するための設備特定情報を格納した設備特定情報格納装置と、前記設備特定情報格納装置から前記設備特定情報の読み出しが可能な携帯端末装置と、前記携帯端末装置と通信ネットワークを介して接続され、当該携帯端末装置からの問い合わせに応じて、前記設備特定情報により特定される前記現場設備に対応する詳細情報を前記携帯端末装置に通知する現場設備管理サーバと、を備えたことを特徴としている。
【０００６】
上記構成によれば、設備特定情報格納装置は、現場設備を特定するための設備特定情報を格納する。
携帯端末装置は、現場設備の設置場所で、設備特定情報格納装置から設備特定情報の読み出しを行い、現場設備管理サーバに通信ネットワークを介して問い合わせを行う。
現場設備管理サーバは、携帯端末装置からの問い合わせに応じて、設備特定情報により特定される前記現場設備に対応する詳細情報を通信ネットワークを介して携帯端末装置に通知する。
【０００７】
この場合において、前記現場設備情報管理サーバは、前記詳細情報として、前記設備特定情報に関連づけて前記現場設備の設置位置の緯度経度情報を格納しているようにしてもよい。
また、前記携帯端末装置は、ＧＰＳ衛星からの電波を受信して、自己の現在位置を特定する現在位置特定部を備えており、前記現場設備管理サーバに前記問い合わせを行うに際し、前記自己の現在位置を通知するようにしてもよい。
【０００８】
さらにまた、前記特定情報格納装置は、IＣタグであり、前記携帯端末装置は、前記ＩＣタグから前記特定情報を読み出すためのＩＣタグリーダを備えているようにしてもよい。
また、前記現場設備の配置、各前記現場設備の構成を含む設備情報が格納される現場設備データベースを備え、前記現場設備管理サーバは、前記携帯端末装置から入力される設備更新情報に基づいて、いずれかのデータベースを最新の状態に維持するデータベース更新部を備えるようにしてもよい。
【０００９】
また、現場設備に配設され、当該現場設備を特定するための設備特定情報を格納した設備特定情報格納装置から前記設備特定情報の読み出しが可能な携帯型端末装置と、前記携帯型端末装置とコンピュータネットワークを介して接続された現場設備管理サーバと、を用いて現場設備を管理する現場設備管理方法は、前記設備特定情報を用いて前記現場設備の詳細情報の問い合わせを行う問い合わせ過程と、前記問い合わせに応じて、前記設備特定情報により特定される前記現場設備に対応する詳細情報を通知する詳細情報通知過程と、を備えたことを特徴としている。
【発明の効果】
【００１０】
本発明によれば、容易に現場設備と台帳との整合性を図ることが可能であるとともに、現場設備の特定を迅速に行うことができる。
【発明を実施するための最良の形態】
【００１１】
次に図面を参照して本発明の好適な実施の形態について説明する。  
まず、具体的な実施の形態の説明に先立ち、機能説明を行う。
図１は、現場設備管理システムの構成図である。
現場設備管理システム１０は、大別すると、現場設備データベースサーバ１１と、管理端末装置１２と、携帯端末装置１３と、を備え、これらは、通信ネットワーク（コンピュータネットワーク）１４を介して相互に接続されている。
現場設備データベースサーバ１１は、設備内容、設備相互の接続関係、設備設置位置、設備写真など現場設備情報データを格納する現場設備データベース２１を有している。
【００１２】
携帯端末装置１３は、現場設備である街路灯３０に設けられているIＣタグ３１から現場設備特定情報を読み取るＩＣタグリーダ２２と、ＧＰＳ衛星４０からの測位用電波を受信して緯度経度情報を出力するＧＰＳレシーバ２３と、を備えている。
【００１３】
次に実施形態の動作について説明する。
まず、初期データ整備時の処理について説明する。
現場設備である街路灯３０の設置時には、初期データ整備を行うべく、作業者は、携帯端末装置１３のＩＣタグリーダ２２を用い、街路灯３０に設けられているIＣタグ３１から現場設備特定情報を読み取る。
【００１４】
この現場設備特定情報の読み取りと並行して、携帯端末装置１３のＧＰＳレシーバ２３は、ＧＰＳ衛星４０からの測位用電波を受信して緯度経度情報を出力する。
これにより、携帯端末装置１３は、通信ネットワーク１４を介して、現場設備特定情報と緯度経度情報を関連づけて管理端末装置１２に通知する。
【００１５】
現場設備特定情報及び緯度経度情報を通知された管理端末装置１２は、各現場設備である街路灯３０の詳細情報を含む現場設備データベース２１を構築することとなる。
詳細情報としては、現場設備が街路灯３０である場合には、以下のようなものが挙げられる。
・ポール番号／形式／頭部の形状
・種類（高力率型、調光型）
・ランプの種類（水銀／メタルハライド／ナトリウム／……）
・安定器の種類
・点滅器の種類
・電源供給（単独／連接、電圧）
・電力供給の契約先
・ランプの交換日、交換業者
・所有者、使用者（国／市／区）
・当該設備の緯度経度
・障害・事故情報
・点検日、点検業者
【００１６】
図２は、詳細情報問い合わせ時の携帯端末装置の表示画面説明図である。
具体的には、詳細情報表示画面５０において、照明灯管理番号、所有者、使用者、街路灯の形式、ランプ種別、案的種別、電源供給、電源方式、ランプ交換日、当該街路灯３０の位置（登録位置）が表示されることとなる。
【００１７】
この結果、携帯端末装置１３を携帯している現場作業者は、携帯端末装置１３のＧＰＳレシーバ２３は、ＧＰＳ衛星４０からの測位用電波を受信して緯度経度情報を取得して当該街路灯３０の登録位置と一致していると見なせるか否かを判別し、一致していると見なせる場合には、当該街路灯３０が詳細情報表示画面５０に表示されている街路灯であると照合／確認することができる。
【００１８】
さらに経度、緯度情報から照明と設置箇所を携帯端末装置１３において表示した簡易地図画面上で確認することが可能となる。また、ランプ交換などの保守作業指示を携帯端末装置１３の表示画面上で閲覧することも可能となる。
一方、管理端末装置１２側では、現場設備の検索表示機能を利用することができ、現場作業で収集した情報に基づいてメンテナンス情報などの各種情報を表示することが可能となっている。
【００１９】
具体的には、現場設備データの検索、表示、データ更新、現場設備データベース２１を構成しているデータと携帯端末装置１３から送られてきたデータとの同期等が行える。
これらの結果、管理端末装置１２の表示画面においては、図３に示すように、街路灯３０の設置位置を自動的に描画して表示することも可能となる。
【００２０】
以上の説明においては、管理対象の現場設備として街路灯の場合について説明したが、屋外設備としては、例えば、標識柱、電柱、ＣＣＴＶカメラ、情報板、テレコントローラ、テレメータ、情報コンセント、放流警報装置、耐雷トランス、道路情報表示装置、超音波積雪深計、空中線装置（反射板、鉄塔）、模写電送装置、トンネル照明などに適用が可能である。また、屋内設備としては、各種機器／装置、多重無線装置、ＳＤＨ（高速デジタル通信装置）、搬送端局装置、遠方制御装置、無線電話、ＬＡＮケーブル、電源ケーブル、通信ケーブル、内線電話、消化器などに適用が可能である。
【００２１】
以上の説明のように、本実施形態によれば、従来管理が困難であった、台帳の整備および現場作業／確認後の正確で迅速な台帳の更新処理が可能となった。また、バイパス工事などの各種工事で設置位置変更がなされたような場合でも緯度、経度情報で現物設備を個別に識別、管理することができる。さらに、照明灯などの現場設備の管理のための各種設備情報更新管理が容易に行える。さらにまた、ランプなどの消耗品の交換時期などの改修計画、準備を容易に立案することができる。また、容易に現場設備と台帳との整合性を図ることが可能であるとともに、現場設備の特定を迅速に行うことが可能となる。
【図面の簡単な説明】
【００２２】
【図１】現場設備管理システムの構成図である。
【図２】詳細情報問い合わせ時の携帯端末装置の表示画面説明図である。
【図３】管理端末装置の表示画面における街路灯設置位置を自動描画の説明図である。
【符号の説明】
【００２３】
１０…現場設備管理システム、１１…現場設備データベースサーバ、１２…管理端末装置、１３…携帯端末装置、１４…通信ネットワーク（コンピュータネットワーク）、２１…現場設備データベース、３０…街路灯、３１…IＣタグ、２２…ＩＣタグリーダ、２３…ＧＰＳレシーバ、４０…ＧＰＳ衛星。
【図１】
2007200015.tif 000003
【図２】
2007200015.tif 000004
【図３】
2007200015.tif 000005